(57)【要約】【課題】映像記録装置で撮影・記録している画像を、映像表示装置で観測するときに、画像が傾斜して不自然になることがない映像表示システムを提供する。【解決手段】ディジタルカメラ６を傾けた状態で撮影を行うと、ＬＣＤ表示部６ａには、風景が傾いて表示されている。この画像は、ディジタルカメラ６中に設けられている回転検出器の検出角度に応じて角度補正されて、表示部５に表示される。そのため、表示画像は、図のＣで示すようになり、画像を見るとＤのように実際の空間と上下左右が同一の画像として表示される。従って、ディジタルカメラ６の角度が傾いたときでも、人間の眼に映る映像が自然なものとなる。【選択図】  図２
2007333929.tif 000002
【特許請求の範囲】
【請求項１】
映像を撮影し記憶媒体に撮影した映像を記録する映像記録装置と、頭部に装着されて、前記映像記録装置が撮影している映像を、映像形成手段により形成して眼に投影することで表示する映像表示装置とを有し、前記映像記録装置と前記映像表示装置は有線もしくは無線で接続され、前記映像記録装置は、映像を撮影する撮影レンズの光軸方向を軸とする回転を検出する回転検出機構を有し、前記映像形成手段が形成する映像が、前記回転検出機構から得られる回転角度情報に応じて回転して形成されることを特徴とする映像表示システム。
【請求項２】
請求項１に記載の映像表示システムであって、前記映像形成手段が形成する映像の回転角度が、９０°間隔とされていることを特徴とする映像表示システム。
【請求項３】
映像を撮影し記憶媒体に撮影した映像を記録する映像記録装置と、頭部に装着されて、前記映像記録装置が記録している映像を、映像形成手段により形成して眼に投影することで表示する映像表示装置とを有し、前記映像記録装置と前記映像表示装置は有線もしくは無線で接続され、前記映像記録装置は、映像を撮影する撮影レンズの光軸方向を軸とする回転を検出する回転検出機構を有し、映像を撮影したときの前記回転検出器から得られた回転角度を、撮影した映像と共に記録しており、前記映像形成手段が形成する映像が、それと共に記録された前記回転角度情報に応じて回転して形成されることを特徴とする映像表示システム。
【請求項４】
請求項３に記載の映像表示システムであって、前記映像形成手段が形成する映像の回転角度が、９０°間隔とされていることを特徴とする映像表示システム。
【発明の詳細な説明】
【技術分野】
【０００１】
本発明は、映像表示システムに関するものである。
【背景技術】
【０００２】
ディジタルカメラやデジタルビデオカメラは、通常外部にＬＣＤパネルを持ち、カメラから目を離して撮影できるため便利であるが、撮影中は被写体ではなくＬＣＤパネルを見続けるため、被写体を注目できないという問題があった。またマクロ撮影などを行うとき、地上近くの被写体を撮影する際に、撮影者はＬＣＤパネルを斜めからみることになり、向きによっては映像が見えなくなってしまい、構図が制限されるという問題があった。
【０００３】
このような問題点を解決するために、ヘッドマウントディスプレイとこれらのカメラを結合し、カメラが撮像中（シャッタを切って撮像する前の状態）、又は撮像記録された映像を、ヘッドマウントディスプレイの表示装置に表示する方法が、特開平９-１８７５６号公報（特許文献１）に記載されている。
【特許文献１】特開平９-１８７５６号公報
【発明の開示】
【発明が解決しようとする課題】
【０００４】
しかしながら、特許文献１に記載される方法では、カメラを傾けたりあるいはフレーム位置を縦位置（通常の撮影姿勢から９０°カメラを傾けた状態）で撮影したりした場合、ヘッドマウントディスプレイに表示される映像が傾いて表示されるという問題点があった。
【０００５】
この様子を図４に示す。ヘッドマウントディスプレイ１は、２つのヘッドホーンハウジング２と、それらを連結する連結部３と、１つのヘッドホーンハウジング２に結合された表示部アーム４と、表示部アーム４の先端部に設けられ、人間の眼に映像を表示する表示部５から形成されている。連結部３には弾力性があり、この弾力により、ヘッドホーンハウジング２で両耳を挟むようにして、ヘッドマウントディスプレイ１を装着する。
【０００６】
ディジタルカメラ６で撮影中又は撮影された映像は、ケーブル７を介してヘッドマウントディスプレイ１に送られ、表示部５に表示される。表示部５に表示される映像は、ディジタルカメラ６のＬＣＤ表示部６ａに表示されるものと同じである。
【０００７】
今、図４に示すように、ディジタルカメラ６を斜めにしたような状態で撮影を行うと、ＬＣＤ表示部６ａには、景色が傾斜して表示される。よって、ヘッドマウントディスプレイ１の表示部５には、本来ならばＢのように表示されなければならない景色がＡのように傾斜して表示されることになり、不自然で見づらい。
【０００８】
本発明はこのような事情に鑑みてなされたもので、映像記録装置で撮影・記録している画像を、映像表示装置で観察するときに、画像が傾斜して不自然になることがない映像表示システムを提供することを課題とする。
【課題を解決するための手段】
【０００９】
前記課題を達成するための第１の手段は、映像を撮影し記憶媒体に撮影した映像を記録する映像記録装置と、頭部に装着されて、前記映像記録装置が撮影している映像を、映像形成手段により形成して眼に投影することで表示する映像表示装置とを有し、前記映像記録装置と前記映像表示装置は有線もしくは無線で接続され、前記映像記録装置は、映像を撮影する撮影レンズの光軸方向を軸とする回転を検出する回転検出機構を有し、前記映像形成手段が形成する映像が、前記回転検出機構から得られる回転角度情報に応じて回転して形成されることを特徴とする映像表示システムである。
【００１０】
前記課題を解決するための第２の手段は、前記第１の手段であって、前記映像形成手段が形成する映像の回転角度が、９０°間隔とされていることを特徴とするものである。
【００１１】
前記課題を解決するための第３の手段は、映像を撮影し記憶媒体に撮影した映像を記録する映像記録装置と、頭部に装着されて、前記映像記録装置が記録している映像を、映像形成手段により形成して眼に投影することで表示する映像表示装置とを有し、前記映像記録装置と前記映像表示装置は有線もしくは無線で接続され、前記映像記録装置は、映像を撮影する撮影レンズの光軸方向を軸とする回転を検出する回転検出機構を有し、映像を撮影したときの前記回転検出器から得られた回転角度を、撮影した映像と共に記録しており、前記映像形成手段が形成する映像が、それと共に記録された前記回転角度情報に応じて回転して形成されることを特徴とする映像表示システムである。
【００１２】
前記課題を解決するための第４の手段は、前記第３の手段であって、前記映像形成手段が形成する映像の回転角度が、９０°間隔とされていることを特徴とするものである。
【発明の効果】
【００１３】
本発明によれば、映像記録装置で撮影・記録している画像を、映像表示装置で観察するときに、画像が傾斜して不自然になることがない映像表示システムを提供することができる。
【発明を実施するための最良の形態】
【００１４】
以下、本発明の実施の形態の例を、図を用いて説明する。図１は、本発明の実施の形態の１例である映像表示システムの概要を示す図である。映像表示装置であるヘッドマウントディスプレイ１のヘッドホーンハウジング２には、それぞれスピーカＳＰが取り付けられていると共に、その一方には、ＣＰＵ、ＬＣＤ（液晶表示装置）ドライバ、ＢＬ（バックライト）ドライバが設けられている。一方のヘッドホーンハウジング２には表示部アーム４が取り付けられ、その先端に表示部５が取り付けられている。表示部５の中には映像形成装置であるＬＣＤと、バックライトＢＬが設けられている。
【００１５】
一方、映像記録装置であるディジタルカメラ６中には、メインＣＰＵ、ＳＤＲＡＭ、フラッシュメモリ、コントロールボタンが設けられると共に、撮影中又は撮影済み（記録済み）の映像を表示するＬＣＤが設けられている。さらに、映像を撮影する撮影レンズの光軸方向を軸とする回転を検出する回転検出器（Rotation Sensor）が設けられている。ディジタルカメラ６の光学系については図示を省略している。ヘッドマウントディスプレイ１とディジタルカメラ６は、無線インターフェースＲＦで結合されているが、ケーブルで接続されていてもよい。
【００１６】
ディジタルカメラ６のＬＣＤに表示される映像は、回転検出器の検出角度に応じて、メインＣＰＵの画像処理により回転した映像としてヘッドマウントディスプレイ１に送られ、表示部５のＬＣＤに表示される。
【００１７】
すなわち、ディジタルカメラ６が撮像中（すなわちシャッタを切って映像を取り込む前にＬＣＤに映像を随時表示している状態）のときには、ディジタルカメラ６のＬＣＤに表示される映像を、そのときの回転検出器の検出角度に応じて角度補正し、実際の空間の上下左右と上下左右が合っているような映像に変換してヘッドマウントディスプレイ１に送り、表示部５のＬＣＤに表示する。
【００１８】
ディジタルカメラ６のＬＣＤに、既に撮影して記録された映像を表示する場合には、その映像の取り込み時に記録された回転検出器の検出角度に応じて角度補正し、空間と上下左右が合っているような映像に変換してヘッドマウントディスプレイ１に送り、表示部５のＬＣＤに表示する。
【００１９】
以上の説明においては、角度補正はディジタルカメラ６のメインＣＰＵで行っていたが、映像の情報と検出角度の情報をヘッドマウントディスプレイ１に送り、ヘッドマウントディスプレイ１のＣＰＵにおいて角度補正を行うようにしてもよい。
【００２０】
図２に、具体的な表示例を示す。なお、以下の図において、図４に示された構成要素と同じ構成要素には、同じ符号を付してその説明を省略する。図２は、図４と同じように、ディジタルカメラ６を傾けた状態で撮像を行っている状態を示している。このとき、ＬＣＤ表示部６ａには、風景が傾いて表示されている。
【００２１】
この画像は、前述のように、回転検出器の検出角度に応じて角度補正されて、表示部５に表示される。そのため、表示画像は、図２のＣで示すようになり、画像を見るとＤのように実際の空間と上下左右が同一の画像として表示される。従って、ディジタルカメラ６の角度が傾いたときでも、人間の眼に映る映像が自然なものとなる。
【００２２】
実際にディジタルカメラ６で撮像を行うときには、ディジタルカメラ６を通常の使用状態である水平（横）状態で使用するか、そこから９０°回転した垂直（縦）状態で使用するのがほとんどである。図３は、ディジタルカメラ６を垂直状態で使用したときの映像の状態を示すものである。このときも、表示部５に表示される画像は、回転検出器の検出角度に応じて角度補正されて、Ｅで示すように実際の空間と上下左右が同一の画像Ｆとして表示される。
【００２３】
ディジタルカメラ６の使用状態が、水平か垂直である場合がほとんどであるので、ＬＣＤ表示部６ａと表示部５に表示される映像との回転角度を、９０°ピッチとするようにしてもよい。すなわち、回転検出器の検出角度が±４５°以内のときは、映像の回転を行わず、±４５°を超えたときは、ＬＣＤ表示部６ａの映像を映像を±９０°回転して表示部５に表示する。このようにすると、回転角度検出機構の簡素化、表示の回転の簡素化が可能となる。
【図面の簡単な説明】
【００２４】
【図１】本発明の実施の形態の１例である映像表示システムの概要を示す図である。
【図２】ヘッドマウントディスプレイでの映像表示の具体的な例を示す図である。
【図３】ヘッドマウントディスプレイでの映像表示の具体的な例を示す図である。
【図４】従来技術の問題点を示す図である。
【符号の説明】
【００２５】
１…ヘッドマウントディスプレイ、２…ヘッドホーンハウジング、３…連結部、４…表示部アーム、５…表示部、６…ディジタルカメラ、６ａ…ＬＣＤ表示部、７…ケーブル
【図１】
2007333929.tif 000003
【図２】
2007333929.tif 000004
【図３】
2007333929.tif 000005
【図４】
2007333929.tif 000006